(57)【要約】【課題】ダウンリンク共有チャンネル上にサービスを提供する方法を提供する。【解決手段】本発明によるモバイル通信システムにおいてネットワークからサービスを受信する方法は、組み合わせ受信に関連するラジオリソースに関する情報を含む静的スケジューリング情報をネットワークから受信するステップと、サービスを受信するための制御情報を含む動的スケジューリング情報をネットワークから受信するステップと、静的スケジューリング情報及び動的スケジューリング情報に基づいて複数のセルから送信されたダウンリンク共有チャンネルを組み合わせてサービスを受信するステップと、を含む。【選択図】図６【特許請求の範囲】
【請求項１】
移動通信システムにおいてネットワークからサービスを受信する方法であって、
組み合わせ受信に関連するラジオリソースに関する情報を含む静的スケジューリング情報をネットワークから受信するステップと、
前記サービスを受信するための制御情報を含む動的スケジューリング情報を前記ネットワークから受信するステップと、
前記静的スケジューリング情報及び前記動的スケジューリング情報に基づいて複数のセルから送信されたダウンリンク共有チャンネルを組み合わせてサービスを受信するステップと、
を含む方法。
【請求項２】
前記ラジオリソースは、前記サービスを組み合わせて受信するための持続時間である請求項１に記載の方法。
【請求項３】
前記ラジオリソースは、前記サービスを組み合わせて受信するための時間周波数エリアである請求項１に記載の方法。
【請求項４】
前記ラジオリソースは、前記サービスを組み合わせて受信するためのコードである請求項１に記載の方法。
【請求項５】
前記制御情報は、前記サービスを識別するためのサービス識別子と、ユーザー設備（ＵＥ）または前記サービスを受信するためのＵＥグループを識別するためのユーザー設備（ＵＥ）識別子と、を含む請求項１に記載の方法。
【請求項６】
モバイル通信システムにおける、点対多点チャンネル上においてサービスを受信する方法であって、
ラジオリソースが組合わせ可能な情報を提供する外部スケジューリング情報を第１のチャンネル上において受信するステップと、
前記サービスが前記ラジオリソースに送信されるときに関する情報を提供する内部スケジューリング情報を第２のチャンネル上において受信するステップと、
前記外部スケジューリング情報及び前記内部スケジューリング情報に基づいて、前記ラジオリソースを用いて複数のセルから送信された点対多点チャンネルを組み合わせて前記サービスを受信するステップと、
を含む方法。
【請求項７】
モバイル通信システムにおいて少なくとも一つのユーザー設備（ＵＥ）にサービスを提供する方法であって、
組み合わせ受信に関連するラジオリソースに関する情報を含む静的スケジューリング情報を少なくとも一つのＵＥに送信するステップと、
前記サービスを受信するための制御情報を含む動的スケジューリング情報を少なくとも一つのＵＥに送信するステップと、
前記サービス用のデータを複数の基地局を介して前記ラジオリソースを有する少なくとも一つのＵＥに送信するステップと、
を含む方法。
【請求項８】
前記ラジオリソースは、サービスを組み合わせて受信するための持続時間である請求項７に記載の方法。
【請求項９】
前記リソースは、前記サービスを組み合わせて受信するための時間周波数エリアである請求項７に記載の方法。
【請求項１０】
前記ラジオリソースは、前記サービスを組み合わせて受信するためのコードである請求項７に記載の方法。
【請求項１１】
前記制御情報は、前記サービスを識別するためのサービス識別子、及びユーザー設備または前記サービスを受信するためのＵＥグループを識別するためのユーザー設備（ＵＥ）識別子を含む請求項７に記載の方法。
【請求項１２】
モバイル通信システムにおいてネットワークからサービスを受信する方法であって、
複数の基地局から同時に送信された前記サービスに割り当てられたラジオリソースに関する情報を受信するステップと、
前記ラジオリソースに関する情報及び前記制御情報に基づいて複数のセルから送信されたダウンリンク共有チャンネルを組み合わせて前記サービスを受信するステップと、
を含む方法。
【発明の詳細な説明】
【技術分野】
【０００１】
本発明は無線通信システムに係り、特に、無線通信システムにおいてダウンリンク共有チャンネル上にサービスを提供して受信する方法に関する。
【背景技術】
【０００２】
図１は、３ＧＰＰ非同期ＩＭＴ−２０００システムの汎用モバイル遠隔通信システム（ＵＭＴＳ；ｕｎｉｖｅｒｓａｌｍｏｂｉｌｅ ｔｅｌｅｃｏｍｍｕｎｉｃａｔｉｏｎ ｓｙｓｔｅｍ）のネットワーク構造のブロック図である。図１を参照すると、ＵＭＴＳは、ユーザー設備（ＵＥ；ｕｓｅｒｅｑｕｉｐｍｅｎｔ）、ＵＭＴＳ陸上ラジオアクセスネットワーク（ＵＴＲＡＮ；ＵＭＴＳ ｔｅｒｒｅｓｔｒｉａｌ ｒａｄｉｏ ａｃｃｅｓｓ ｎｅｔｗｏｒｋ）、及びコアネットワーク（ＣＮ；ｃｏｒｅｎｅｔｗｏｒｋ）を備える。ＵＴＲＡＮは、少なくとも一つのラジオネットワークサブシステム（以下、ＲＮＳと略す。）を備える。ＲＮＳはラジオネットワーク制御器（ＲＮＣ；ｒａｄｉｏｎｅｔｗｏｒｋ ｃｏｎｔｏｌｌｅｒ）と、ＲＮＣが管理する少なくとも一つの基地局（ノードＢ）と、を備える。少なくとも１以上のセルが一つのノードＢに存在する。
【０００３】
図２は、ＵＥとＵＴＲＡＮとの間のラジオインタフェースプロトコールのアーキテクチャー図である。図２を参照すると、ラジオインタフェースプロトコールは、物理層、データリンク層、及びネットワーク層を垂直方向に備える。水平方向において、ラジオインタフェースプロトコールは、データ情報転送用のユーザー面と、シグナリング転送用の制御面と、を含む。図２のプロトコール層は従来公知の開放型システム相互接続（ＯＳＩ；ｏｐｅｎｓｙｓｔｅｍ ｉｎｔｅｒｃｏｎｎｅｃｔｉｏｎ）標準の３個の下位層と同じ第１の層Ｌ１、第２の層Ｌ２、及び第３の層Ｌ３に分割される。図２のそれぞれの層は後述する。
【０００４】
物理層（ＰＨＹ；ｐｈｙｓｉｃａｌ ｌａｙｅｒ）は第１の層であり、物理層を用いて情報提供サービスを上位層に提供する。物理層ＰＨＹは、運送チャンネルを介して物理層ＰＨＹの上に位置している媒体アクセス制御（ＭＡＣ；ｍｅｄｉｕｍａｃｃｅｓｓ ｃｏｎｔｒｏｌ）層に接続される。データはＭＡＣ層とＰＨＹ層との間において運送チャンネルを介して受け渡される。さらに、データは他の物理層間に受け渡され、さらに特に、送信側の物理層と受信側の物理層との間において物理チャンネルを介して受け渡される。
【０００５】
第２の層のＭＡＣ層は論理チャンネルを介してＭＡＣ層上に位置しているラジオリンク制御（ＲＬＣ；ｒａｄｉｏｌｉｎｋ ｃｏｎｔｒｏｌ）層にサービスを提供する。ＲＬＣ層は信頼性あるデータの受け渡しを支援し、上位層から送られてきたＲＬＣサービスデータユニットの分割及び接続で動作する。以下、サービスデータユニットはＳＵＤと略記する。
【０００６】
放送／マルチキャスト制御（ＢＭＣ；ｂｒｏａｄｃａｓｔ／ｍｕｌｔｉｃａｓｔｃｏｎｔｒｏｌ）層はコアネットワークから受け渡されたセル放送メッセージ（ＣＢメッセージ）をスケジューリングし、特定のセル内に存在するＵＥにこのメッセージを容易に放送する。ＵＴＲＡＮのそれぞれから、ＣＢメッセージは上位層から受け渡され、例えば、メッセージＩＤ、シリアル番号、及びコーディングスキームなどの情報をさらに含む。ＣＢメッセージはＢＭＣフォーマットでＲＬＣ層に受け渡され、その後、共通トラフィックチャンネル（ＣＴＣＨ；ｃｏｍｍｏｎｔｒａｆｆｉｃ ｃｈａｎｎｅｌ）などの論理チャンネルを介してＭＡＣ層に受け渡される。論理チャンネルＣＴＣＨは順方向アクセスチャンネル（ＦＡＣＨ；ｆｏｒｗａｒｄａｃｃｅｓｓ ｃｈａｎｎｅｌ）などの運送チャンネル、及び２次共通制御物理チャンネル（Ｓ−ＣＣＰＣＨ；ｓｅｃｏｎｄａｒｙ ｃｏｍｍｏｎ ｃｏｎｔｒｏｌ ｐｈｙｓｉｃａｌｃｈａｎｎｅｌ）などの物理チャンネルにマッピングされる。
【０００７】
パケットデータ収束プロトコール（ＰＤＣＰ；ｐａｃｋｅｔｄａｔａ ｃｏｎｖｅｒｇｅｎｃｅ ｐｒｏｔｏｃｏｌ）層はＲＬＣ層の上に置かれ、ＩＰｖ４またはＩＰｖ６などのネットワークプロトコールを介して転送されるデータが比較的に狭い帯域幅を有するラジオインタフェースの上において効率よく転送できるようにする。このために、ＰＤＣＨ層は有線ネットワークが用いる不要な制御情報を容易に減らす。このような機能はヘッダー圧縮と呼ばれ、ＩＥＴＦ（ＩｎｔｅｒｎｅｔＥｎｇｉｎｅｅｒｉｎｇ Ｔａｓｋ Ｆｏｒｃｅ）が定義するＲＦＣ２５０７またはＲＦＣ３０９５（ＲＤＨＣ；ｒｏｂｕｓｔ ｈｅａｄｅｒ ｃｏｍｐｒｅｓｓｉｏｎ）などのヘッダー圧縮スキームが使用可能である。これらのスキームにおいては、データのヘッダー部分のために強制された情報だけが転送されて、制御情報の小さな量を転送して転送データ量を低減する。
【０００８】
ラジオリソース制御（ＲＲＣ）層は第３の層の最下位部分の上に位置する。ＲＲＣ層は制御面においてのみ定義され、論理、運送及び物理チャンネルを制御するためのラジオベアラー（ＲＢ；ｒａｄｉｏｂｅａｒｅｒ）の構成、再構成及びリリースに関連する。この場合、ＲＢはＵＥとＵＴＲＡＮとの間のデータ転送のための第２の層に提供されたサービスである。特に、ＲＢはＵＥとＵＴＲＡＮとの間のデータ受け渡しのためのラジオプロトコールの層１及び層２が提供する論理パスである。ＲＢの構成は特定のサービスを提供するのに必要なプロトコール層及びチャンネルの特性を調整するプロセスと、特定のパラメータを設定するプロセスと、動作方法のそれぞれである。
【０００９】
ＲＲＣ層は放送制御チャンネル（ＢＣＣＨ）を介してシステム情報を放送する。一つのセルのためのシステム情報はシステム情報ブロック（ＳＩＢ；ｓｙｓｔｅｍｉｎｆｏｒｍａｔｉｏｎ ｂｌｏｃｋ）フォーマットを介してＵＥに放送される。システム情報が変更される場合、ＵＴＲＡＮはＢＣＣＨ修正情報をページングチャンネル（ＰＣＨ）または順方向アクセスチャンネル（ＦＡＣＨ）を介してＵＥに転送して、最新のシステム情報を受信する。
【００１０】
以下、マルチメディア放送／マルチキャストサービス（ＭＢＭＳ）について説明する。ＭＢＭＳはダウンリンク専用ＭＢＭＳベアラーサービスを用いてストリーミングまたはバックグラウンドサービスを複数のＵＥに提供する。ＭＢＭＳは少なくとも一つのセッションを含む。ＭＢＭＳデータは進行セッション中にＭＢＭＳベアラーサービスを介して複数のＵＥに転送される。ＵＴＲＡＮは無線ベアラー（ＲＢ）を用いてＭＢＭＳベアラーサービスをＵＥに提供する。点対点ラジオベアラーは両方向ラジオベアラーであり、論理チャンネルＤＴＣＨ（専用トラフィックチャンネル）、運送チャンネルＤＣＨ（専用チャンネル）、及び物理チャンネルＤＰＣＨ（専用物理チャンネル）、または物理チャンネルＳＣＣＰＣＨ（２次共通制御物理チャンネル）を含む。点対多点ラジオベアラーは単方向ダウンリンクである。点対多点ラジオベアラーは論理チャンネルＭＴＣＨ（ＭＢＭＳトラフィックチャンネル）、運送チャンネルＦＡＣＨ（順方向アクセスチャンネル）、及び物理チャンネルＳＣＰＣＨを含む。論理チャンネルＭＴＣＨはセルに提供されたそれぞれのＭＢＭＳに対して構成され、特定のＭＢＭＳに関連するユーザー面データを複数のＵＥに転送するのに用いられる。
【００１１】
図３は、端末が点対多点サービスの受信するためのチャンネルマッピングの例を示す図である。
【００１２】
図３を参照すると、論理チャンネルＭＣＣＨ（ＭＢＭＳ制御チャンネル）は点対多点ダウンリンクチャンネルであり、ＭＢＭＳに関連する制御情報を送信するのに用いられる。論理チャンネルＭＣＣＨは運送チャンネルＦＡＣＨ（順方向アクセスチャンネル）にマッピングされ、運送チャンネルＦＡＣＨは物理チャンネルＳＣＣＰＣＨ（２次共通制御物理チャンネル）にマッピングされる。少なくとも一つのＭＣＣＨはセル内に存在する。
【００１３】
ＭＢＭＳを提供するＵＴＲＡＮはＭＣＣＨ情報をＭＣＣＨチャンネルを介して複数のＵＥに送信する。ＭＣＣＨ情報はＭＢＭＳに関連する通知メッセージ（例えば、ＭＢＭＳに関連するＲＲＣメッセージ）を含む。例えば、ＭＣＣＨ情報はＭＢＭＳ情報の通知を提供するメッセージ、点対多点ラジオベアラー情報の通知を提供するメッセージ、及び／または特定のＭＢＭＳに対して要求されるＥＥＣ接続の通知を提供するアクセス情報を含む。
【００１４】
図４は、従来の技術によるＨＳ−ＤＳＣＨのプロトコールスタック構造を示す図である。ＨＳ−ＤＳＣＨは３個のスロットを有する２ｍｓの送信時間間隔（以下、「ＴＴＩ」と称する。）を含む。ハイブリッド自動繰り返し要請（ＨＡＲＱ；ｈｙｂｒｉｄａｕｔｏｍａｔｉｃ ｒｅｐｅａｔ ｒｅｑｕｅｓｔ）スキームはＨＳ−ＤＳＣＨに対して用いられる。また、適応性変調及びコーディング（ＡＭＣ’ａｄａｐｔｉｖｅ ｍｏｄｕｌａｔｉｏｎａｎｄ ｃｏｄｉｎｇ）スキームはＨＳ＝ＤＳＣＨに用いられ、変調及びコーディング方法の最適な組み合わせが最適なスループットを達成するために現在のチャンネル環境に対して選択される。
【００１５】
図４を参照すると、ＲＲＣ層からＳＲＮＣに送られてきたデータユニットは論理チャンネルＤＴＣＨまたはＤＣＣＨを介して運送チャンネルを管理するＭＡＣ−ｄエンティティーに受け渡され、ＣＲＮＣのＭＡＣ−ｃ／ｓｈ／ｍエンティティーを介してノードＢのＭＡＣ−ｈｓエンティティーに受け渡される。ＭＡＣ−ｄ、ＭＡＣ−ｃ／ｓｈ／ｍ、及びＭＡＣ−ｈｓは運送チャンネル、共通チャンネル及びＨＳ−ＤＳＣＨをそれぞれ管理するＭＡＣエンティティーである。
【００１６】
物理チャンネルＨＳ−ＰＤＳＣＨは運送チャンネルＨＳ−ＤＳＣＨを受け渡すのに用いられる。ＨＳ−ＰＤＳＣＨに対する拡散ファクターは１６に固定され、チャンネル化コードはＨＳ−ＤＳＣＨ上においてデータ送信のために予備されたチャンネル化コードセットからＨＳ−ＰＤＳＣＨのために選択される。マルチコード送信がイネーブルされた場合、複数のチャンネル化コードはＨＳ−ＤＳＣＨのサブフレーム中に割り当てられる。
【００１７】
ＨＳ−ＤＳＣＨ用の制御情報はＨＳ−ＤＳＣＨ上においてユーザーデータを送信するのに必要である。制御情報はダウンリンクＨＳ−ＳＳＣＨ（高速共有制御チャンネル）及びアップリンクＨＳ−ＤＰＣＣＨ（高速専用物理制御チャンネル）を介して交換される。ＨＳ−ＳＣＣＨは、拡散ファクターとして１６用いて６０ｋｂｐｓのデータレートを有するダウンリンク物理チャンネルである。ＨＳ−ＳＣＣＨ上において送信された情報は運送フォーマットとリソース関係の情報（ＴＥＲＩ；ｔｒａｎｓｐｏｒｔｆｏｒｍａｔ ａｎｄ ｒｅｓｏｕｒｃｅ ｒｅｌａｔｅｄ ｉｎｆｏｒｍａｔｉｏｎ）、ＨＡＲＱ関連情報、及びユーザーデータを受信するためにユーザーを識別するように送信されるべきマスキングされたＵＥ身元を含む。ＨＳ−ＤＰＣＣＨは、ＵＥがノードＢに対するチャンネル状態とＨＡＲＱを支援するためのＡＣＫ／ＮＡＣＫ情報を周期的に報告するためのＣＱＩ（チャンネル品質指示子）を送信するアップリンク物理チャンネルである。
【００１８】
他のスケジューリングスキームは従来の技術において他のセル内のダウンリンク共有チャンネルを介してサービスに対してユーザーデータを送信する間に用いられる。これにより、ＵＥが２以上のセルからダウンリンク共有チャンネルを介して同時に同じユーザーデータを受信することができないため、組み合わせ受信により達成されるダイバーシティ利得は取得できない。上述した状況下において、ＵＥがセル境界に位置するとき、ＵＥに対する受信感度は劣化することがある。
【発明の開示】
【発明が解決しようとする課題】
【００１９】
そこで、本発明は、従来の技術の制限及び短所に起因する多数の問題を実質的に解消する、ダウンリンク共有チャンネル上にサービスを提供する方法を志向する。
【００２０】
本発明の目的は、ダウンリンク共有チャンネルまたはダウンリンク共通チャンネル上にサービスを提供して受信する方法を提供することであり、これにより、ユーザー装備（ＵＥ）は複数のセルからダウンリンク共有チャンネルまたはダウンリンク共通チャンネルを介してデータを組み合わせてサービスを受信することができる。
【００２１】
本発明の他の目的は、ダウンリンク共有チャンネルまたはダウンリンク共通チャンネル上においてサービスを提供及び受信する方法を提供することであり、これにより、ダウンリンク共有チャンネルまたはダウンリンク共通チャンネルを介してサービスを受信するＵＥ内の受信感度は高めることができる。
【課題を解決するための手段】
【００２２】
本発明のさらなる特徴及び利点は下記の説明に開示され、部分的には以下の説明から自明であるか、あるいは、本発明の教示により学習可能である。本発明の目的及び利点は開示された説明及び特許請求の範囲と添付図面において特に指摘された構造により実現されて取得される。
【００２３】
本発明の目的及び利点を達成し、本発明の意図によれば、以下に開示するように、モバイル通信システムにおいてネットワークからサービスを受信する方法は、組み合わせ受信に関連するラジオリソース上の情報を含む静的スケジューリング情報をネットワークから受信するステップと、サービスを受信するための制御情報を含む動的スケジューリング情報をネットワークから受信するステップと、静的スケジューリング情報及び動的スケジューリング情報に基づいて複数のセルから送信されたダウンリンク共有チャンネルを組み合わせてサービスを受信するステップと、を含む。
【００２４】
本発明の他の実施形態によれば、モバイル通信システムにおける、点対多点チャンネル上においてサービスを受信する方法は、ラジオリソースが組み合わせ可能な情報を提供する外部スケジューリング情報を第１のチャンネル上において受信するステップと、サービスがラジオリソースと一緒に送信されるときに情報を提供する内部スケジューリング情報を第２のチャンネル上において受信するステップと、外部スケジューリング情報及び内部スケジューリング情報に基づいてラジオリソースを用いて複数のセルから送信された点対多点チャンネルを組み合わせてサービスを受信するステップと、を含む。
【００２５】
本発明のさらに他の実施形態によれば、モバイル通信システムにおいて少なくとも一つのＵＥにサービスを提供する方法は、組み合わせ受信に関連するラジオリソース上の情報を含む静的スケジューリング情報を少なくとも一つのＵＥに送信するステップと、サービスを受信するための制御情報を含む動的スケジューリング情報を少なくとも一つのＵＥに送信するステップと、複数の基地局を介してサービス用のデータをラジオリソースを有する少なくとも一つのＵＥに送信するステップを含む。
【００２６】
本発明のさらに他の実施形態によれば、モバイル通信システムにおいてネットワークからサービスを受信する方法は、複数の基地局から同時に送信されたサービスに対して割り当てられたラジオリソース上において情報を受信するステップと、サービスを受信するための制御情報を受信するステップと、ラジオリソース上の情報と制御情報に基づいて複数のセルから送信されたダウンリンク共有チャンネルを組み合わせてサービスを受信するステップと、を含む。
【００２７】
特定の持続時間、特定の周波数、特定のコードまたは特定の時間−周波数エリアはセルによりダウンリンク共有チャンネルを介して送信された特定のサービスに対して割り当てられる。ＵＥはセルのうち第２のセルを介してダウンリンク共有チャンネルに関する制御情報を受信する。ＵＥは、制御情報に基づき、割り当てられた特定の持続時間、特定の周波数、特定のコード、または特定の時間周波数エリアを用いて複数のセルからユーザーデータを受信して組み合わせる。
【００２８】
本発明の上述した目的、特徴、様相及び利点は添付図面に基づいて以下の詳細な説明から自明に理解できるであろう。本発明の上述した説明及び以下の詳細な説明は特許請求の範囲に開示されている本発明のさらなる理解を提供し、例示的なものであることに留意すべきである。
【発明を実施するための最良の形態】
【００２９】
以下、参考までに本発明の好適な実施形態が詳細に開示され、例として図面に示される。図中、類似する構成要素は同一または類似する図面番号を用いて表示される。
【００３０】
図５は、本発明の好適な実施形態による静的スケジューリング及び動的スケジューリングのプロセスを示す図である。ダウンリンクチャンネルを介してサービスのためのデータ送信プロセスは、本発明の好適な実施形態により、時間軸上において図５に基づき後述される。図５において、第１の行はダウンリンク共有チャンネルのフレーム番号を示し、第２の行は静的スケジューリングのための静的スケジューリングフレーム番号（ＳＳＦＮ；ｓｔａｔｉｃｓｃｈｅｄｕｌｉｎｇ ｆｒａｍｅ ｎｕｍｂｅｒ）を、第３の行は各フレームに割り当てられたサービスを示す。１フレームは、サービスのデータ送信に割り当てられるべき最小長の持続時間である。すなわち、時間、コードまたは周波数などのラジオリソースはダウンリンク共有チャンネルにおいてフレーム単位に割り当てられる。本発明の好適な実施形態による静的スケジューラーは静的スケジューリングのために少なくとも１枚のフレームを指定し、ＳＳＦＮを少なくとも１枚のフレームに割り当てる。図５の例において、静的スケジューラーは静的スケジューリングのために４、８、１２、１６、２０及び２４のフレーム番号を有する６個のフレームを指定し、ＳＳＦＮをそれらのフレームに割り当てる。
【００３１】
動的スケジューラーは各フレームにサービスを割り当て、サービス用のデータの割り当てられたフレームを介して送信される。図５の例において、静的スケジューリングは複数のセルに同時に送信されたＳ＃１及びＳ＃２に適用され、動的スケジューリングは他のサービスに適用される。データ分配器は静的スケジューリングの考慮時に４、８、１６及び２０の数を有するフレームにＳ＃１及びＳ＃２用のデータＰＤＵを割り当てる。分配器はＳ＃１及びＳ＃２に対する各サービスにＳＳＦＮを付着し、Ｓ＃１及びＳ＃２に関連する動的スケジューラーノードはサービスＰＤＵに付着されたＳＳＦＮを参照してダウンリンク共有チャンネルの対応するフレームを介してサービスＰＤＵをＵＥに送信する。一方、動的スケジューラーは静的スケジューリングが他のサービスに適用されるサービスに割り当てられないフレーム１２、２４を割り当てることができる。図５において、フレーム＃２４は静的スケジューリングが適用されないＳ＃３に割り当てられる。動的スケジューラーはＳ＃１及びＳ＃２とは異なるサービスに関するデータを静的スケジューリングの適用されない他のフレームに割り当てる。
【００３２】
動的スケジューラーはフレームに割り当てられたサービスをＵＥに知らせるための制御情報をダウンリンク制御チャンネルを介して送信する。制御情報は対応するフレームに割り当てられたサービスの識別子と、サービスを受信するためのＵＥまたはＵＥグループの識別子を含む。ＨＳＤＰＡシステムにおいて、ダウンリンク制御チャンネルはＨＳ−ＳＣＣＨであり、フレームはＨＳ−ＳＣＣＨまたはＨＳ−ＰＤＳＣＨのサブフレームに相当する。
【００３３】
ＵＥはダウンリンク制御チャンネルを周期的に受信して各フレームにおいて制御情報を取得する。ＵＥは制御情報の指示による、複数のセルからのサービス用のデータを組み合わせてサービスを受信する。すなわち、ＵＥは複数のセルからのサービス用のデータを組み合わせて制御情報により指示された持続時間（フレーム）中にサービスを受信する。組み合わせられた受信スキームは静的スケジューリングの適用される全てのフレームにおいて可能である。一方、ＵＴＲＡＮは組み合わせ受信スキームが可能なフレームと、組み合わせ受信スキームが可能ではない他のフレームを指定することができる。この場合、ＵＴＲＡＮはＵＥに、組み合わせ受信がフレームにおいて可能であるかどうかを知らせる。ＵＴＲＡＮはＵＥに、静的スケジューリングの適用される全てのフレームにおいてＵＥが組み合わせ受信スキームを利用可能であるかどうかをダウンリンク制御チャンネルを介して知らせる。
【００３４】
図６は、本発明の好適な実施形態を示す手順図である。図６を参照すると、ＵＥは、下位層の層Ａ及び上位層の層Ｃを有する。例えば、層ＣはＲＲＣ層と同じ機能を行い、層Ａは物理層、ＭＡＣ層及びＲＬＣ層の機能を行う。動的スケジューラーノードは動的スケジューリングを行うネットワークノードである。例えば、動的スケジューラーを示すノードＢは動的スケジューラーノードであってもよい。データ分配器ノードはデータ分配を行うネットワークノードである。例えば、静的スケジューラーを備えたサービスノード−Ｂ（Ｓ−ＮＢ）またはユーザー面（ＵＰ）ノードはデータ分配器ノードであってもよい。静的スケジューラーノードは静的スケジューリングを行うネットワークノードである。例えば、静的スケジューラーを備えた制御面（ＣＰ）ノードは静的スケジューラーノードであってもよい。一方、静的スケジューラーはＳ−ＮＢに位置することができる。図６において、動的スケジューラーノード１及び動的スケジューラーノード２はＵＥがダウンリンクチャンネルを受信する２つの異なるノードＢに相当し、これらのうち一つはＵＥがダウンリンク制御チャンネルを介してダウンリンク制御情報を受信するサービングノードＢに対応する。図６において、動的スケジューラーノード１はサービングノードＢであると想定する。
【００３５】
上述したネットワークノードの位置は例示的なものであり、ネットワーク構造により多様化可能である。一部の例は図７及び８に基づいて後述する。
【００３６】
図７は、本発明の好適な実施形態によるネットワーク構造を示す図である。図７を参照すると、ＲＮＣは、制御面（ＣＰ）ノード及びユーザー面（ＵＰ）ノードを含む。ＣＰノードはノードＢとＵＥの機能のうち一部を制御する。ＣＰノードは静的スケジューラーを備えて、ダウンリンクダイバーシティを要求するマルチキャストサービスまたはＵＥ専用サービス用のデータに対してダウンリンクスケジューリングを行う。ＵＰノードはデータ分配の機能を行い、ユーザーデータをノードＢに分配する。各セルに送信されたデータに対するダウンリンクスケジューリングを行う動的スケジューラーは各ノードＢの内部に位置する。これにより、各ノードＢはデータ送信のスケジューリングを行う。ＵＰノードはＣＰノードの制御により少なくとも一つのセルに、ダイバーシティを必要とするサービスを送信するためにデータ分配の機能を行う。
【００３７】
図８は、本発明の他の好適な実施形態によるネットワーク構造を示す図である。図８において、図７のＵＰノードの機能はＣＰノードに統合される。ＵＥを介してメイン制御を行うノードＢはサービングノードＢ（Ｓ−ＮＢ）と呼ばれ、ＵＥを介して補助制御を行うノードＢはドリフトノードＢ（Ｄ−ＮＢ）と呼ばれる。Ｄ−ＮＢはユーザーデータをＳ−ＮＢから受信した後、ラジオリンクを介してユーザーデータをＵＥに送信する。Ｓ−ＮＢ及びＤ−ＮＢの両方はＵＥとのラジオリンクを構築する。一方、Ｓ−ＮＢは他のネットワークノードからＵＥに関するユーザーデータを受信し、ＵＥに関連するＤ−ＮＢにユーザーデータを送信する。図８において、ダウンリンク共有チャンネルのデータ送信スケジューリングに対する静的スケジューラーはＣＰノードに位置し、各セルに対する動的スケジューラーはＳ−ＮＢ及びＤ−ＮＢに位置する。代案的に、Ｓ−ＮＢは静的スケジューラーを備えることができる。データ分配の機能はＳ−ＮＢノード内のデータ分配器により行われる。
【００３８】
図６を参照すると、静的スケジューラーノードは静的スケジューリング情報を構築し、静的スケジューリング情報を含むメッセージをデータ分配器ノードに転送する［Ｓ８０１］。静的スケジューリング情報はＳＳＦＮをダウンリンク共有チャンネルのフレームに割り当てるためのＳＳＦＮ割当て情報を含む。静的スケジューリング情報は静的スケジューリングの適用されるフレームに含まれる各フレームに関して組み合わせ受信が可能であるかどうかに関する情報を含む。静的スケジューリング情報はデータ分配器ノード及び動的スケジューラーノード１及び２を同期化するための同期化情報を含む。データ分配器ノードはメッセージに応答するための受信確認メッセージを静的スケジューラーノードに転送する［Ｓ８０２］。
【００３９】
静的スケジューラーノードは静的スケジューリング情報を含むメッセージを動的スケジューラーノード１及び２に転送する［Ｓ８０３、Ｓ８０５］。動的スケジューラーノード１及び２はメッセージに応答するための受信確認メッセージをそれぞれ静的スケジューラーノードに転送する［Ｓ８０４、Ｓ８０６］。静的スケジューリング情報はデータ分配器ノード及び動的スケジューラーノード１及び２を同期化するための同期化情報を含む。
【００４０】
静的スケジューラーノードは動的スケジューラーノード１及び２を介してＵＥ層Ｃに静的スケジューリング情報を送信する［Ｓ８０７］。ＵＥ層Ｃは受信された静的スケジューリング情報をＵＥ層Ａに転送する［Ｓ８０８］。データ分配器ノードは動的スケジューラーノード１及び２と同期化手続きを行い、データを正確な時間に交換する［Ｓ８０９、Ｓ８１０］。
【００４１】
データ分配器ノードは静的スケジューリングが適用されるユーザー専用サービス、マルチキャストサービス、または放送サービスに対するプロトコールデータユニット（ＰＤＵ）を生成する。ＰＤＵはデータ分配器ノードの上位ノードからのデータを用いて生成される。
【００４２】
データ分配器ノードはＰＤＵが送信されるべきＵＥに関連する動的スケジューラーノード１及び２にＰＤＵを分配する［Ｓ８１４、Ｓ８１５］。データ分配器ノードは動的スケジューラーノード１及び２にＰＤＵの送信時間を示すＳＳＦＮを知らせる。
【００４３】
動的スケジューラーノード１は受信されたＳＳＦＮが示すダウンリンク共有チャンネルのフレームに対応するダウンリンク制御チャンネルのフレームを介して動的スケジューリング情報をＵＥに送信する。動的スケジューリング情報はフレーム上の情報、コード、周波数またはＰＤＵが送信されるインジケータを含む。動的スケジューリング情報はＵＥがフレーム、コード、周波数または時間周波数エリアを用いて動的スケジューラーノード１及び２からＰＤＵを組み合わせてサービスを受信できるかどうかに関する情報を含む。ＵＥはサービングノードＢである動的スケジューラーノード１から動的スケジューリング情報を受信する。しかしながら、動的スケジューラーノード２は動的スケジューリング情報をＵＥまたは他のＵＥに送信する［Ｓ８１５］。
【００４４】
動的スケジューラーノード１及び２がカバーする複数のセルは受信されたＳＳＦＮが示すフレームにおいてＰＤＵを送信する［Ｓ８１６、Ｓ８１７］。ＵＥ層Ａは静的スケジューリング情報及び動的スケジューリング情報を用いて複数のセルからＰＤＵを受信して組み合わせる。ＵＥは選択組み合わせスキームまたはソフト組み合わせスキームを用いることができる。
【００４５】
図９は、本発明の好適な実施形態による、静的スケジューリング情報を構築して更新する手続きを説明している手順図である。図９においては、ＵＥが動的スケジューラーノード１とラジオリンクを既に構築していると想定する［Ｓ９００］。
【００４６】
動的スケジューラーノード２はＵＥが動的スケジューラーノード１とラジオリンクを維持しながら、動的スケジューラーノード２とラジオリンクを新たに構築することを希望する場合、または、ラジオまたはワイヤーリソースが変更された場合、静的スケジューリング情報の構築または更新を要請するためのメッセージを静的スケジューラーノードに転送する［Ｓ９０１］。メッセージは動的スケジューラーノード２が構築されるか、あるいは、更新されることを要請する静的スケジューリング情報の一部または全部を含む。メッセージの受信後、静的スケジューラーノードはメッセージに応答するための受信確認メッセージを肯定または否定に転送する［Ｓ９０２］。受信確認メッセージは構築されるべき、または、更新されるべき静的スケジューリング情報の変更部分を含む。
【００４７】
静的スケジューリング情報がＳ９０１及びＳ９０２のステップにより構築また更新されたと決定された場合、静的スケジューラーノードはＵＥまたはＵＥに対するサービスに関連するデータ分配器ノードに、静的スケジューリング情報構築メッセージを転送し、データ分配器ノードから静的スケジューリング情報構築メッセージに対する受信確認メッセージを受信する［Ｓ９０３、Ｓ９０４］。
【００４８】
静的スケジューラーノードは静的スケジューリング情報構築メッセージを、ＵＥまたはＵＥに対するサービスに関連する動的スケジューラーノード１及び動的スケジューラーノード２に転送し、動的スケジューラーノード１及び動的スケジューラーノード２から静的スケジューリング情報構築メッセージに対する受信確認メッセージを受信する［Ｓ９０５−Ｓ９０８］。静的スケジューラーノードは静的スケジューリング情報をサービスに関連する少なくとも一つのＵＥに送信する［Ｓ９０９］。ＵＥ層Ｃは受信された静的スケジューリング情報をＵＥ層に転送して、ＵＥ層Ａをして複数のセルからサービスに関するデータを受信及び組合が行えるようにする［Ｓ９１０］。
【００４９】
図１０は、本発明の好適な実施形態による、静的スケジューリング情報を更新する手続きを説明する手順図である。
【００５０】
静的スケジューラーノードはデータ分配器ノードへのデータ送信に関連する測定情報（例えば、バッファに貯蔵されているデータ量）を要請する［Ｓ１００１］。データ分配器ノードは、要請された、または、自発的に要請された測定情報を周期的にまたは非周期的に静的スケジューラーノードに報告する［Ｓ１００２］。
【００５１】
静的スケジューラーノードは測定情報に基づき静的スケジューリング情報を更新しなければならないかどうかを判断する。静的スケジューリング情報が更新されたと決定されるとき、静的スケジューラーノードは静的スケジューリング情報構築メッセージを、ＵＥまたはサービスに関連するデータ分配器ノードに転送し、データ分配ノードから静的スケジューリング情報構築メッセージに対する受信確認メッセージを受信する［Ｓ１００３、Ｓ１００４］。
【００５２】
静的スケジューラーノードは静的スケジューリング情報構築メッセージをＵＥまたはＵＥに対するサービスに関連する動的スケジューラーノード１及び動的スケジューラーノード２に転送し、動的スケジューラーノード１及び動的スケジューラーノード２から静的スケジューリング情報構築メッセージに対する受信確認メッセージを受信する［Ｓ１００５−Ｓ１００８］。
【００５３】
静的スケジューラーノードは静的スケジューリング情報をサービスに関連する少なくとも一つのＵＥに送信する［Ｓ１００９］。ＵＥ層Ｃは受信された静的スケジューリング情報をＵＥ層Ａに転送して、ＵＥ層Ａをして複数のセルからサービスに対するデータを受信及び組合が行えるようにする［Ｓ１０１０］。
【００５４】
ユーザー設備（ＵＥ）は端末、モバイル端末、移動局、または移動局加入者などと呼ばれ、ノードＢはＵＥが用いられる通信システムにより、基地局、基地局加入者（ＢＴＳ）、またはアクセスポイント（ＡＰ）と呼ばれる。静的スケジューリング情報は外部スケジューリング情報と呼ばれ、動的スケジューリング情報は内部スケジューリング情報と呼ばれる。
【００５５】
本発明はモバイル通信システムを記述し、無線通信機能を備えたＰＤＡまたはノート型パソコンに対する無線通信システムに適用可能である。本発明において説明されたターミノロジーは無線通信システムの範囲に制限されない。また、本発明はＴＤＭＡ、ＣＡＭＡ、ＦＤＭＡなどの他の無線インタフェース及び物理層を用いて無線通信システムに適用可能である。
【００５６】
本発明のコンテンツはソフトウェア、フォームウェア、ハードウェアまたはこれらの組み合わせにより実現可能である。特に、本発明のコンテンツはコード、回路チップ及びＡＳＩＣなどのハードウェアロジックをハードウェアを用いるか、あるいは、ハードディスク、フロッピー（登録商標）ディスク及びテープなどのコンピュータにて読み取り可能な記憶媒体、光学媒体、コンピュータプログラミング言語を用いるＲＯＭ及びＲＡＭにおけるコードにより実現される。
【００５７】
コンピュータにて読み取り可能な媒体に貯蔵されたコードはプロセッサーによりアクセス可能であり、且つ、実行可能である。本発明のコンテンツを実現するコードは送信媒体またはネットワーク上のファイルサーバーを介してアクセス可能である。この場合、コード実現装置はネットワーク送信ライン、無線送信媒体、シグナリング、無線シグナリング、ＩＲシグナリングなどの有線送信媒体を含む。
【００５８】
図１１は、本発明の機能を行うモバイル端末などの無線通信装置１００のブロック図である。
【００５９】
図１１を参照すると、無線通信装置１００は、マイクロプロセッサー及びデジタルプロセッサーなどの処理ユニットモジュール１１０と、ＲＦモジュール１３５と、電力制御モジュール１０５と、アンテナ１４０と、バッテリー１５５と、ディスプレイモジュール１１５と、キーパッド１２０と、ＲＯＭ、ＳＲＡＭ及びフラッシュメモリーなどの貯蔵モジュール１３０と、スピーカー１４５、及びマイクロホン１５０を含む。
【００６０】
ユーザーはボタンを押すか、あるいは、マイクロホン１４５を用いて音声を活性化して電話番号などの指令情報を入力する。処理ユニットモジュール１１０は、指令情報を受信及び処理してユーザーが要請した機能を行う。処理ユニットモジュール１１０は、機能を行うのに必要となるデータに対する貯蔵モジュール１３０を探索し、その後、データを用いる。また、処理ユニットモジュール１１０は、ユーザーの指令情報及び貯蔵モジュール１３０から探索されたデータをユーザーの便宜のためのディスプレイモジュール１１５上に表示することを可能にする。
【００６１】
処理ユニットモジュール１１０は、ＲＦモジュール１３５に情報を受け渡して、音声通信データを含むラジオ信号を送信する。ＲＦモジュール１３５は、ラジオ信号を送信及び受信するための送信機及び受信機を含む。ラジオ信号はアンテナ１４０を介して最終的に送信または受信される。ラジオ信号の受信に際し、ＲＦモジュール１３５は、ラジオ信号を基底帯域信号に変換して、処理ユニットモジュール１１０をしてラジオ信号を処理可能にする。変換された信号はスピーカー１４５を介してまたは読み取り可能な情報として受け渡される。
【００６２】
ＲＦモジュール１３５は、ネットワークからデータを受信するか、あるいは、無線通信装置が測定または生成した情報をネットワークに送信するのに用いられる。貯蔵モジュール１３０は、無線通信装置が測定または生成した情報を貯蔵するのに用いられる。また、処理ユニットモジュール１１０は、無線通信装置がデータを受信し、受信されたデータを処理し、処理されたデータを送信するのに適当に用いられる。
【００６３】
好ましくは、処理ユニットモジュール１１０は、送信されるべき制御情報を処理するのに適応され、データブロックを生成する。ＲＦモジュール１３５の送信機は第１の物理チャンネル上にデータブロックを送信するための処理ユニットモジュール１１０により制御され、データブロックは制御情報を含む。送信機は第１の物理チャンネル上の制御情報の送信を示す第２の物理チャンネル上の特定の値を有するインジケータを含む。
【００６４】
好ましくは、処理ユニットモジュール１１０は、特定のイベントが発生し、データブロックを生成するかどうかを判定するのに適応される。ＲＦモジュール１３５の送信機は特定のイベントが生成されないと判定されたとき、物理チャンネル上に送信されたデータブロックのサイズを示すためのインジケータを送信するための処理ユニットモジュール１１０により制御される。送信機は特定のイベントが発生したと判定されたとき、特定のイベントを示す特定の値をインジケータに送信する。
【００６５】
当業者にとっては、本発明に対する種々の修正及び変動が可能であることが自明である。よって、本発明は、特許請求の範囲及びその均等物内に提供される本発明の修正及び変動をカバーする。
【産業上の利用可能性】
【００６６】
本発明はＬＴＥ（Ｌｏｎｇ Ｔｅｒｍ Ｅｖｏｌｕｔｉｏｎ）システム、３ＧＰＰまたは３ＧＰＰ２システム、モバイルインターネット用の広帯域無線アクセスシステムなどのモバイル通信システムに適用可能である。
【図面の簡単な説明】
【００６７】
本発明のさらなる理解を提供するために添付された図面は本発明の一部として一体化及び構成されて、本発明の実施形態を例示し、説明と共に本発明の原理を説明するのに寄与する。他の図面において同じ図面符号が付けられている本発明の特定の要素、及び様相は１以上の実施形態による同一、均等、または類似する特徴、要素または様相を示す。
【図１】汎用モバイル遠隔通信システム（ＵＭＴＳ）のネットワーク構造を示すブロック図である。
【図２】ＵＭＴＳが用いるＵＥとＵＴＲＡＮとの間のラジオインタフェースプロトコールのアーキテクチャー図である。
【図３】従来の技術による、ＭＢＭＳサービスに対するＵＥ内のチャンネル構造を示す図である。
【図４】従来の技術による、ＨＳ−ＤＳＣＨのプロトコールスタック構造を示す図である。
【図５】本発明の好適な実施形態による静的スケジューリング及び動的スケジューリングのプロセスを説明する図である。
【図６】本発明の好適な実施形態を示す手順図である。
【図７】本発明の好適な実施形態によるネットワーク構造を説明する図である。
【図８】本発明の他の好適な実施形態によるネットワーク構造を示す図である。
【図９】本発明の好適な実施形態による、静的スケジューリング情報を構築して更新する手続きを説明する手順図である。
【図１０】本発明の好適な実施形態による、静的スケジューリング情報を更新する手続きを説明する手順図である。
【図１１】本発明の機能を行う移動局などの無線通信装置のブロック図である。
【図１】
2009506622.tif 000002
【図２】
2009506622.tif 000003
【図３】
2009506622.tif 000004
【図４】
2009506622.tif 000005
【図５】
2009506622.tif 000006
【図６】
2009506622.tif 000007
【図７】
2009506622.tif 000008
【図８】
2009506622.tif 000009
【図９】
2009506622.tif 000010
【図１０】
2009506622.tif 000011
【図１１】
2009506622.tif 000012
【国際調査報告】
2009506622.tif 000013
2009506622.tif 000014